(57)【要約】【課題】ワイヤハーネス組立用の作業台の貫通穴に上方からの作業だけで立設できる電線受け等の治具を提供する。【解決手段】支柱の下端に横長の固定ブロックを設けると共に該支柱の下側外面に押下材を突設し、かつ、該支柱の上端に、電線等の受け材を設けた本体と、前記本体の支柱の下側部に付設する取付部品からなり、該取付部品は、前記押下材に被せる大きさで且つ該押下材の下面側に位置させるコイルバネを収容したケース部と、該ケース部の上端面の中央から突設して前記支柱を昇降自在且つ回転自在に貫通させる円筒部を備えている。【選択図】図１
2012185921.tif 000002
【特許請求の範囲】
【請求項１】
支柱の下端に横長の固定ブロックを設けると共に該支柱の下側外面に押下材を突設し、かつ、該支柱の上端に、電線、コネクタまたはプロテクタを含む外装材の受け材を設けた本体と、
前記本体の支柱の下側部に付設する取付部品からなり、
前記取付部品は、前記押下材に被せる大きさで且つ該押下材の下面側に位置させるコイルバネを収容したケース部と、該ケース部の上端面の中央から突設して前記支柱を昇降自在且つ回転自在に貫通させる円筒部を備え、
ワイヤハーネス組立用の作業台に設けた長穴に、前記固定ブロックの方向を一致させると共に前記取付部品のケース部を作業台表面に載置した状態で、前記支柱を押し下げて前記固定ブロックを前記長穴に貫通させると共に前記押下材によりコイルバネを圧縮し、該状態で前記支柱を一定角度で回転させて固定ブロックを長穴に対して挿通不可とし、該状態で前記支柱の押し下げを解いてコイルバネの反力で前記支柱を上昇させ、前記固定ブロックを作業台の下面に固定する構成としているワイヤハーネス組立用の治具。
【請求項２】
前記支柱の上端の受け材は電線受け材とし、該電線受け材はＵ形状、Ｙ形状、あるいはＸ形状として、支柱の上端に連結して取り付け、または支柱と一体的に設けている請求項１に記載のワイヤハーネス組立用の治具。
【発明の詳細な説明】
【技術分野】
【０００１】
本発明はワイヤハーネス組立用の治具に関し、詳しくは、自動車等の車両に配索する多数本の電線群をワイヤハーネス組立作業台上（所謂、図板）で組立経路に沿って立設した電線布線治具で支持して布線し、布線後に電線群をテープやバンドを巻き付けて結束し、ワイヤハーネスとして組み立てるワイヤハーネス組立工程において、前記ワイヤハーネス組立作業台上に立設する治具に関するものである。
【背景技術】
【０００２】
従来、この種の電線保持用の治具は特許第３６１３０３０号公報に開示されている図８に示されている治具が汎用されている。該治具１００は、ワイヤハーネス組立作業台（以下、作業台と略す）１０１に設けた貫通穴１０２に治具１００の支柱１０３を貫通させ、作業台１０１の裏側の下方から支柱１０３にワッシャ１０５、コイルスプリング１０６、ナット１０７を通し、支柱１０３の下端側に設けたネジにナット１０７を締め付けている。これにより、図８（Ｂ）に示すように、支柱１０３の中間位置に突設した作業台載置部１０８を作業台１0１の上面に固定している。支柱１０３の上端にはＵ字状の電線受け材１１０を螺着して突設している。
図８（Ｃ）に示すように、作業台１０１上に治具１００を所要位置に突設して、治具１００の電線受け材１１０で布線される電線を支持している。
【先行技術文献】
【特許文献】
【０００３】
【特許文献１】特許第３６１３０３０号公報
【発明の概要】
【発明が解決しようとする課題】
【０００４】
前記特許文献１の治具１００は、その支柱１０３を作業台１０１の貫通穴１０２に通した後に、作業台１０１の裏側から支柱１０３にワッシャ１０５、コイルスプリング１０６を通した後にナット１０７を締め付ける必要がある。このように作業台１０１の裏側からナットを締め付けて治具１００を固定する作業は作業性が悪く、特に、作業台を裏返しや傾斜できない治具の交換は非常に困難になる問題がある。また、治具１００を作業台１０１から取り外す場合も作業台の裏側からナットを取り外す必要があり作業性が悪い問題がある。
【０００５】
前記作業台の裏側から固定する治具は電線受け治具に限らず、電線群に外装するプロテクタ等の外装材の保持治具やコネクタ受け治具の場合も同様で、作業台の裏側からの固定は作業性が悪い問題がある。
【０００６】
本発明は前記問題に鑑みてなされたもので、作業台に対する治具の取付時に、作業台の裏側での支柱固定作業を不要とし、作業台の貫通穴に表面側の上方から治具を差し込む等の表面側の作業のみで、略ワンタッチに固定および取り外しできる治具を提供することを課題としている。
【課題を解決するための手段】
【０００７】
前記課題を解決するため、本発明は、支柱の下端に横長の固定ブロックを設けると共に該支柱の下側外面に押下材を突設し、かつ、該支柱の上端に、電線、コネクタまたはプロテクタを含む外装材の受け材を設けた本体と、
前記本体の支柱の下側部に付設する取付部品からなり、
前記取付部品は、前記押下材に被せる大きさで且つ該押下材の下面側に位置させるコイルバネを収容したケース部と、該ケース部の上端面の中央から突設して前記支柱を昇降自在且つ回転自在に貫通させる円筒部を備え、
ワイヤハーネス組立用の作業台に設けた長穴に、前記固定ブロックの方向を一致させると共に前記取付部品のケース部を作業台表面に載置した状態で、前記支柱を押し下げて前記固定ブロックを前記長穴に貫通させると共に前記押下材によりコイルバネを圧縮し、該状態で前記支柱を一定角度で回転させて固定ブロックを長穴に対して挿通不可とし、該状態で前記支柱の押し下げを解いてコイルバネの反力で前記支柱を上昇させ、前記固定ブロックを作業台の下面に固定する構成としているワイヤハーネス組立用の治具を提供している。
【０００８】
前記のように、本発明の治具は本体の支柱下端の固定ブロックを作業台の長穴と一致させて取付部品のケース部を作業台の表面に載置すると、固定ブロックは長穴に挿入された状態となる。この状態で支柱を押し下げると、支柱の下端の固定ブロックは長穴を貫通して作業台の裏面から離れた下方に突出する。
固定ブロックが作業台裏面から離れた状態で支柱を回転させることは容易であり、この状態で支柱を一定角度、例えば、９０度回転させることで、固定ブロックを長穴と直交位置とし、固定ブロックを作業台の長穴から抜け出せない位置とする。
前記一定角度回転後に支柱の押し下げを解くと、押下材と作業台表面との間で圧縮されていたコイルバネが元の伸びた状態に戻り、押下材を上昇させて支柱を上昇させ、支柱の下端の固定ブロックも上昇させて作業台裏面に圧接固定させる。
このように、治具の本体の支柱を押し下げた後に一定角度回転し、回転後に押し下げを解くだけで、治具を作業台表面の上方から略ワンタッチで取り付けることができる。かつ、治具の支柱は上方からのコイルバネによる押し下げ力と、下方の固定ブロックとで作業台を挟持するため安定姿勢で固定できる。
【０００９】
治具のメンテナンス、交換、取り外し時には、支柱を押し下げた後に一定角度回転させると、固定ブロックが作業台の長穴と一致し、上方へ引き出すだけで治具を作業台から取り外すことができる。
【００１０】
前記支柱の上端の受け材は電線受け材とし、該電線受け材はＵ形状、Ｙ形状、あるいはＸ形状として、支柱の上端に一体的に設け、
または、前記電線受け材を支柱と別体とし、該支柱の上端に電線受け材の下端中心部を着脱自在に連結してもよい。
【００１１】
前記取付部品の円筒部とケース部とは一体的に設けることが好ましいが、円筒部の下端をケース部の上端に設けた取付穴にねじ込んで連結してもよい。
また、ケース部は四角形状でも円筒形状でもよく、前記押下材およびコイルバネを収容できる大きさであればよい。
ケース部の下端面はコイルバネを挿入できると共に支柱を貫通させる開口とし、挿入したコイルバネを収容保持できると共に支柱の遊挿穴を設けた開閉自在な蓋を設けることが好ましい。なお、使用状態では蓋は必須ではないため、ケース部の下端面の周縁にコイルバネを保持できる保持枠を設けているだけでもよい。
【００１２】
前記作業台上に立設する治具の大半は電線受け治具からなるが、コネクタ受け治具、プロテクタ受け治具等の治具としても利用できる。その場合、支柱の上端にコネクタ受け材、外装材受け材を設ければよい。
【発明の効果】
【００１３】
前記のように、本発明のワイヤハーネス組立用の作業台上に立設する電線保持用等の治具は、作業台の表面側に上方から治具の支柱を差し込んで９０度等の一定角度を回転するだけで安定して立設固定できる。かつ、治具の取り付けおよび取り外しが作業台の上方側からの作業のみで行えるため、作業性を向上できる。
【図面の簡単な説明】
【００１４】
【図１】本発明の実施形態の治具を示す斜視図である。
【図２】前記治具の支柱と電線受け材の連結部を示し拡大斜視図である。
【図３】前記治具のケース部を示し、（Ａ）は平面図、（Ｂ）は底面図である。
【図４】（Ａ）は治具の組み付け工程を示す概略図、（Ｂ）は要部拡大断面図である。
【図５】（Ａ）はケース部内のコイルバネの原状の緩んだ状態を示す図面、（Ｂ）はケース部内のコイルバネが圧縮された状態を示す図面である。
【図６】（Ａ）（Ｂ）（Ｃ）（Ｄ）は作業台への治具の取付工程を示す図面である。
【図７】（Ａ）（Ｂ）は電線受け材の変形例を示す図面である。
【図８】（Ａ）（Ｂ）（Ｃ）は従来例を示す図面である。
【発明を実施するための形態】
【００１５】
以下、本発明の実施形態を図面を参照して説明する。
図１乃至図６に本発明の実施形態を示す。
実施形態の治具１は、Ｕ字状の電線受け材２を支柱３の上端に螺着して突設する電線受け用の治具である。図１に示す本体１０に取付部品１２を付設して、治具１を組み立てている。
【００１６】
本体１０は支柱３の下端に横長の直方体状の固定ブロック４を設けると共に、支柱３の下側外面に円環板状の押下材５を突設している。図２に示すように、支柱３の上端にネジ溝３ａを凹設し、前記電線受け材２の下端中央に突設したネジ棒２ａをねじ込んで突設している。
【００１７】
本体１０の支柱３の下側部に付設する前記取付部品１２は、図３に示すように、四角状のボックスからなるケース部６の上壁６ａの中央から円筒部７を突設した形状である。該円筒部７の上端面は開口７ａとし、円筒部７の下端開口とケース部６の上壁６ａに設けた貫通穴を連通させ、該ケース部６の底壁６ｂには大径穴６ｃを設けている。
【００１８】
図４に示すように、前記支柱３の上端に電線受け材２を取り付ける前に、前記取付部品１２を支柱３の上端から被せるように取り付け、支柱３に円筒部７を隙間をあけて外嵌し、ケース部６を押下材５に被せ、支柱３をケース部６に貫通させ、支柱３の下端の固定ブロック４をケース部６より下方に突出している。この状態で、ケース部６の底壁６ｂの大径穴６ｃよりコイルバネ８を挿入し、該コイルバネ８の中央空間に支柱３を貫通させると共に、ケース部６内において押下材５と底壁６ｂの大径穴６ｃの周縁６ｄでコイルバネ８の上下面を挟持してコイルバネ８を収容している。
【００１９】
前記本体１０への取付部品１２の取り付け状態で、取付部品１２の円筒部７およびケース部６の中心に、本体１０の支柱３を昇降自在および回転自在に貫通させている。
前記取付部品１２を支柱３に取り付けた後に、円筒部７の上端から上方へ突出する支柱３の上端に電線受け材２を連結固定している。
【００２０】
図５（Ａ）に示すように、ケース部６内のコイルバネ８は上下に伸びた状態が原状形状である。図５（Ｂ）に示すように、前記コイルバネ８は上下方向から負荷が加わると圧縮し、負荷が解かれると図５（Ａ）に示す上下に伸びる原状に戻る。この状態で、押下材５を上方に付勢して支柱３を上昇保持し、支柱３の下端の固定ブロック４をケース部６の底壁に近接した位置に保持するものとしている。
【００２１】
図６に示すワイヤハーネス組立用の作業台２０には、治具取付位置に長穴２１を予め貫通して設けている。該長穴２１は前記治具１の固定ブロック４より一回り大きな横長の相似形状としている。よって、長穴２１の上方に固定ブロック４の方向を一致させて挿入するとスムーズに貫通させることができるようにしている。また、長穴２１を通した固定ブロック４を９０度回転させて直交方向とすると、固定ブロック４は長穴２１から抜け出られないようにしている。
【００２２】
前記治具１を作業台２０に組みつける工程は、図６（Ａ）に示すように、作業台２０の上方から、治具１の固定ブロック４を長穴２１に合わせて挿入する。この時、支柱３の上端に電線受け材２を固定した本体１０は支柱３を押し下げない状態としているため、固定ブロック４は取付部品１２のケース部６の下端から少しだけ突出した状態である。よって、作業台２０の表面（上面）にケース部６の底壁を載置した状態で固定ブロック４は長穴２１から下方に出た直後または長穴２１の内部に位置する。
【００２３】
この状態から、図６（Ｂ）に示すように、支柱３を下方に押し下げる。これにより、支柱３は取付部品１２の円筒部７およびケース部６内を下降し、支柱３の下端の固定ブロック４を下方へ突出させ、作業台２０の裏面（下面）と寸法をあける。かつ、支柱３の押し下げで押下材５も下降し、押下材５の下方のコイルバネ８をケース部６の底壁６ｂとの間で圧縮させる。
【００２４】
次いで、図６（Ｃ）に示すように、支柱３を９０度回転させ、下端の固定ブロック４も９０度回転させて、長穴２１と直交させる。
【００２５】
最後に、図６（Ｄ）に示すように、支柱３の押し下げを解くと、コイルバネ８が原状に戻って伸長し、押下材５を押し上げ、支柱３を上昇させる。これにより、支柱３の下端の固定ブロック４も上昇し、作業台２０の裏面に接触固定する。また、コイルバネ８の伸長でケース部６の底壁６ｂを作業台２０の表面に圧接させる。
【００２６】
このように、治具１は、コイルバネ８によりケース部６の底壁を押し下げて作業台２０の上面に圧接させると共に、コイルバネ８で押下材５を介して支柱３を押し上げ、支柱下端の固定ブロック４を押し上げて作業台２０の下面に圧接させるため、治具１は作業台２０に安定した状態で立設することができる。
かつ、治具１を作業台２０の上方から長穴２１に挿入し、挿入後に支柱３を押し下げて回転させ、その後、押し下げを解くだけの言わばワンタッチ作業で簡単に治具１を作業台に取り付けることができる。
【００２７】
また、治具１を交換、メンテナンス、取り外す時は、支柱３を下降して９０度回転させ、固定ブロック４を長穴２１と一致させた後に上方へ引き出せばよいだけで簡単に行うことができる。
【００２８】
前記支柱３の上端に取り付ける電線受け材２として、ワイヤハーネスの分岐形態に応じて、図７（Ａ）に示すＹ字状電線受け材２−１、図７（Ｂ）に示すＸ字状電線受け材２ー２を取り付けてもよい。
さらに、電線受け材に限定されず、コネクタ受け材やプロテクタ受け材を支柱上端に取り付けた治具にも適用することができる。
【００２９】
なお、前記実施形態では、支柱３の上端に電線受け材２を螺着しているが、一体に設けてもよい。また、取付部品１２のケース部６は下面開口とし、コイルバネ８をケース部６に挿入後に蓋で閉鎖するようにし、該蓋に支柱３を貫通させる穴を設けておいてもよい。
【符号の説明】
【００３０】
１  治具
２  電線受け材
３  支柱
４  固定ブロック
５  押下材
６  ケース部
７  円筒部
８  コイルバネ
１０  本体
１２  取付部品
２０  作業台
２１  長穴
【図１】
2012185921.tif 000003
【図２】
2012185921.tif 000004
【図３】
2012185921.tif 000005
【図４】
2012185921.tif 000006
【図５】
2012185921.tif 000007
【図６】
2012185921.tif 000008
【図７】
2012185921.tif 000009
【図８】
2012185921.tif 000010